(57)【要約】【課題】地中に近い植物の根圏環境を実現する植栽容器を提供する。【解決手段】植物を植込み栽培するための植栽容器であって、バケツ型の本体部と、本体部の内側面及び底面全体に亘って貼付される断熱材と、本体部の底面から所定の高さに着脱可能に取付けられ、当該植栽容器に入れられる土が載置される円形状の載置板を含む載置台と、載置板の中央に形成された穴にその上端が嵌合し、載置板と底面との間に配設される中空の管体と、本体部の載置板よりも低い位置の側面において、本体部の内部と外部とを連通するよう配設される排水管と、当該植栽容器に入れられる土の表面外周上に配設され、複数の貫通孔を有する環状の給水管と、を有する。【選択図】図１
2018191578.tif 000002
【特許請求の範囲】
【請求項１】
植物を植込み栽培するための植栽容器であって、
バケツ型の本体部と、
前記本体部の内側面及び底面全体に亘って貼付される断熱材と、
前記本体部の底面から所定の高さに着脱可能に取付けられ、当該植栽容器に入れられる土が載置される円形状の載置板を含む載置台と、
前記載置板の中央に形成された穴にその上端が嵌合し、前記載置板と前記底面との間に配設される中空の管体と、
前記本体部の前記載置板よりも低い位置の側面において、前記本体部の内部と外部とを連通するよう配設される排水管と、
当該植栽容器に入れられる土の表面外周上に配設され、複数の貫通孔を有する環状の給水管と、
を有することを特徴とする植栽容器。
【請求項２】
前記断熱材は、アルミ層と発泡体層の二層からなるシート状部材であり、前記発泡体層側の面が前記本体部の内側面及び底面に貼付されることを特徴とする請求項１に記載の植栽容器。
【請求項３】
前記管体の下側外周面には、複数個の切欠が形成されていることを特徴とする請求項１に記載の植栽容器。
【請求項４】
前記排水管は、前記本体部の底面よりもやや高い位置において前記本体部の側面に形成された貫通孔を介して本体部の内部と外部とを連通するよう水平に配設される直管状の固定管と、一端側が前記固定管に回転可能に差込み結合され、回転に応じて他端側の高さ位置を変更可能な可動管と、を有することを特徴とする請求項１に記載の植栽容器。
【発明の詳細な説明】
【技術分野】
【０００１】
本発明は、植栽容器に関する。
【背景技術】
【０００２】
従来、植物を植込み栽培するための植木鉢等の植栽容器において、容器の底面部に植物の根に給水させる水を溜めておくための給水皿を配設したものが広く知られている。このような植栽容器に関し、各種の発明がなされてきた（例えば、特許文献１参照）。
【０００３】
特許文献１には、バケット状の植栽容器の中央下部にオーバーフロー開口部を設けた技術が開示されている。特許文献１によれば、このオーバーフロー開口部等の作用により、植栽容器本体内に常に一定量の水分が確保され、また、余分な水は排出されるので、根腐れ等が防止されるという効果が奏される。
【先行技術文献】
【特許文献】
【０００４】
【特許文献１】特開平７−２１３１７６号公報
【発明の概要】
【発明が解決しようとする課題】
【０００５】
ところで、植物の栽培においては植物の根の働きが極めて重要である。植物の根は植物が育つために必要な栄養素等を吸収するとともに、植物を支える役割を果たすためである。従って、植物の根圏環境をいかに健全にするかが従前の課題であった。
【０００６】
本願発明者は、自身が長年業として植物の栽培を行ってきた経験を基に、植物の根が受けるストレス等を低減して根圏環境の健全を実現する植栽容器を発明した。
【０００７】
すなわち、本発明は、上記の点に鑑みてなされたものであり、地中に近い植物の根圏環境を実現する植栽容器を提供することを目的とする。
【課題を解決するための手段】
【０００８】
上記の目的を達成するために、本発明に係る植栽容器は、植物を植込み栽培するための植栽容器であって、バケツ型の本体部と、前記本体部の内側面及び底面全体に亘って貼付される断熱材と、前記本体部の底面から所定の高さに着脱可能に取付けられ、当該植栽容器に入れられる土が載置される円形状の載置板を含む載置台と、前記載置板の中央に形成された穴にその上端が嵌合し、前記載置板と前記底面との間に配設される中空の管体と、前記本体部の前記載置板よりも低い位置の側面において、前記本体部の内部と外部とを連通するよう配設される排水管と、当該植栽容器に入れられる土の表面外周上に配設され、複数の貫通孔を有する環状の給水管と、を有することを特徴とする。
を特徴とする。
【発明の効果】
【０００９】
本発明によれば、地中に近い植物の根圏環境を実現する植栽容器を提供することができる。
【図面の簡単な説明】
【００１０】
【図１】本実施形態に係る植栽容器の全体構成例を示す斜視図である。
【図２】本実施形態に係る載置台及び管体を説明するための図である。
【図３】本実施形態に係る排水管を説明するための図である。
【図４】本実施形態に係る容器本体の排水管周辺の縦断面図である。
【図５】本実施形態に係る排水管の変形例を説明するための図である。
【図６】変形例に係る容器本体の排水管周辺の縦断面図である。
【発明を実施するための形態】
【００１１】
以下、本発明の実施形態について説明する。
【００１２】
［植栽容器の構成］
図１は、本実施形態に係る植栽容器の全体構成例を示す斜視図である。
【００１３】
図１に示す植栽容器１は、植物に対して給水を行うための給水部１０と、植物が植込みされる容器本体２０と、容器本体２０からの排水用の受け皿３０とから構成される。
【００１４】
給水部１０は、上面が開口した直方体状の箱型の貯水タンク１１、貯水タンク１１の両側面の角隅に形成された貫通孔１１ａを介して、貯水タンク１１と外部とを連通して環状に配設される中空管である給水管１２、貯水タンク１１内において貯水タンク１１と給水管１２との連通部分に設けられる多孔質体１３を有する。
【００１５】
貯水タンク１１は、例えばプラスチック製のものが用いられる。給水管１２は、例えば軟質塩化ビニール製のものが用いられる。多孔質体１３は、例えばスポンジである。
【００１６】
給水管１２の環状部分の直径は、容器本体２０の上面開口部の直径より短く形成されている。具体的には、容器本体２０に腐葉土等の土を入れた場合に当該給水管１２を土の表面外周上に配設することができる程度の長さである。この給水管１２の下側には、所定の間隔で小径の貫通孔１２ａが多数個形成されている。貯水タンク１１の上面開口部に水が注入されると、水はこれらの貫通孔１２ａを介して、外周側から地中に点滴灌水する。
【００１７】
多孔質体１３は、貯水タンク１１内のゴミ等が給水管１２に流入して貫通孔１２ａが孔詰まり等を起こしてしまうのを防止するために設けられる。
【００１８】
容器本体２０は、バケツ型の本体部２１、本体部２１の内側面及び底面全体に亘って貼付されるシート状の断熱材２２、本体部２１の底面から例えば４．５〜５ｃｍ程度の高さに配設される載置台２３、載置台２３（載置板２３ａ）の略中央（中央を含む）において載置台２３と底面との間に配設される中空の管体２４、本体部２１の底面からやや高い位置において本体部２１の側面に形成された貫通孔２１ａを介して、本体部２１の内部と外部とを連通するよう配設される排水管２５、本体部２１内において本体部２１と排水管２５との連通部分に設けられる多孔質体２６を有する。なお、本体部２１の内部空間のうち、特に載置台２３と底面との間の空間を空間Ｓという。
【００１９】
本体部２１は、例えばプラスチック製の一般的に使用されるバケツ型のものである。断熱材２２は、例えば遮光性を有するアルミ層と断熱性を有する発泡体層の二層からなるシート状部材であり、発泡体層側の面が本体部２１の内側面に貼付される。載置台２３は、多数の矩形穴が縦横に一定間隔で設けられた例えば高剛性のプラスチック製の載置板２３ａを有する（詳細には図２を用いて後述する）。管体２４は、例えば硬質塩化ビニール製のものが用いられる。排水管２５は、例えば軟質塩化ビニール製のものが用いられる。多孔質体２６は、例えばスポンジである。
【００２０】
本体部２１には、運搬用の取っ手２１ｂが取り付けられており、この取っ手２１ｂを把持して当該植栽容器１を容易に持ち運び可能である。断熱材２２は、その素材として上記アルミ層と発泡体層の二層からなるシート状部材を用いることによって、地中に近い環境すなわち植物の根に適した環境、すなわち遮光性や断熱性を兼ね備えた環境を作ることができる。載置台２３及び管体２４については図２を用いて後述する。排水管２５については図３〜図６を用いて後述する。
【００２１】
多孔質体２６は、本体部２１内の底面に溜まった土等が排水管２５に流入してしまうのを防止するとともに、外部から本体部２１内部への熱伝導や空気の流入を抑制するために設けられる。
【００２２】
受け皿３０は、排水管２５の先端の下方に配設される、上面が開口した直方体状の筐体であり、例えばプラスチック製のものである。
【００２３】
以上に示すように、本実施形態に係る植栽容器１は、給水部１０と、容器本体２０と、受け皿３０とから構成される。特に、容器本体２０の一構成要素である本体部２１は一般的に使用されるバケツ型のものであるため、植栽容器１全体として簡易な構成となっている。
【００２４】
［載置台及び管体の構成］
図２は、本実施形態に係る載置台及び管体を説明するための図である。なお、以下の説明において、前述と同様の構成要素については同一の符号を付して適宜重複する説明を省略する。
【００２５】
図２に示すように、載置台２３は、載置板２３ａ、網状体２３ｂ、脚部２３ｃを有する。
【００２６】
載置板２３ａは、前述の通り、多数の矩形穴が縦横に一定間隔で設けられた例えば高剛性のプラスチックからなる、略円形状（円形を含む）の板状部材である。この載置板２３ａの直径は、当該載置板２３ａが配設される位置の本体部２１の内径と同一程度の長さであることが好ましい。網状体２３ｂは、細かい網目の繊維ネット等であり、載置板２３ａの上面全体を覆うように配設される。脚部２３ｃは、載置板２３ａの外周において所定の間隔で鉛直下方向に向かって取付けられる縦長の金属等の部材である。
【００２７】
以上に示す載置台２３の上方には腐葉土等の土及び栽培対象の植物が植込まれる。なお、載置板２３ａ及び網状体２３ｂが前述のような小さな空隙を有する素材で形成されているため、載置板２３ａ及び網状体２３ｂを介して上方から下方の空間Ｓに向かって移動可能な物質は、原則として水のみであり、土や植物の根は移動できない。
【００２８】
一方、管体２４は、前述の通り、載置台２３の略中央において載置台２３と底面との間に配設される中空の管体である。この管体２４の上端が、載置板２３ａの略中央に形成された穴に嵌合するよう配設される。載置台２３の上方から腐葉土等の土が入れられた場合、当該管体２４の内部は当該土で満たされる。なお、この管体２４の下側外周面には、複数個の縦状の切欠２４ａが所定の間隔で形成されており、空間Ｓに溜まった水はこれら複数の切欠２４ａから管体２４の内部の土に入り込んで底面灌水し、管体２４の内部を上昇する。
【００２９】
以上に示すように、本実施形態に係る植栽容器１では、載置台２３が容器本体２０の内部において土等を載置させるための土台として設けられるとともに、管体２４がこの載置台２３と底面との間の空間Ｓに溜まった水を底面灌水させるために設けられている。なお、このような管体２４は、載置台２３と底面との間に複数個設けられてもよい。
【００３０】
これら載置台２３及び管体２４は、本体部２１に対して着脱可能である。従って、一般的に使用されるバケツ型の本体部２１に対して別部材（載置台２３及び管体２４）を取り付けるだけで、簡易に植栽容器１を実現することが可能である。以上の載置台２３及び管体２４を総称する場合、植栽バケツ用中敷きともいう。
【００３１】
以上図１及び図２を用いて説明してきたように、本実施形態に係る植栽容器１では、貯水タンク１１の上面開口部に水が注入されると、水はこれらの貫通孔１２ａを介して、外周側から地中に点滴灌水するとともに、空間Ｓに溜まった水は中央の管体２４の内部の土に入り込んで底面灌水し、管体２４の内部を上昇する。
【００３２】
従って、本植栽容器１によれば、容器外周側において鉛直下方に向かう水の流れと、容器中央部において鉛直上方に向かう水の流れとを同時に実現することができる。これは、自生植物に対する水分の供給に近い環境である。従って、植物の根が受けるストレス等を可能な限り低減して根圏環境の健全を実現することができるのである。
【００３３】
［排水管の構成］
図３は、本実施形態に係る排水管を説明するための図である。図４は、本実施形態に係る容器本体の排水管周辺の縦断面図である。
【００３４】
図３及び図４に示すように、排水管２５は、本体部２１の底面よりもやや高い位置において貫通孔２１ａを介して本体部２１の内部と外部とを連通するよう水平に配設される直管状の固定管２５ａと、一端側が固定管２５ａに回転可能に差込み結合され、他端側が開口したコの字型の可動管２５ｂとを有する。
【００３５】
以上に示す可動管２５ｂを固定管２５ａ周り（図３中の矢印方向）に手動等により回転させることで、可動管２５ｂの鉛直方向の最上点の高さｈ１を調節することができる。そして、本体部２１内の空間Ｓに水が溜まっている場合に（図４参照）、可動管２５ｂの最上点の高さｈ１が空間Ｓ内の水の水位より低くなるよう、可動管２５ｂを回転させる。そうすると、空間Ｓ内の水が排水管２５を通って外部へと排出される。このように可動管２５ｂを回転させる単純な動作で、空間Ｓ内の水位を所望の水位ｈ１に適宜調整することができる。言い換えると、空間Ｓ内において水は、可動管２５ｂの最上点の高さｈ１までのみ溜まることとなる。
【００３６】
［排水管の変形例］
図５は、本実施形態に係る排水管の変形例を説明するための図である。図６は、変形例に係る容器本体の排水管周辺の縦断面図である。
【００３７】
図５及び図６に示すように、排水管２５Ａは、載置板２３ａよりもやや低い位置において本体部２１の側面に形成された貫通孔２１ｃを介して、本体部２１の内部と外部とを連通するよう配設される直管体である。
【００３８】
以上に示す排水管２５Ａによれば、空間Ｓ内の水の水位が排水管２５Ａの高さｈ２よりも高くなった場合に、空間Ｓ内の水は排水管２５Ａを通って外部へと排出される。これにより、空間Ｓ内の水位を所望の水位Ｈ２に調整することができる。言い換えると、空間Ｓ内において水は、排水管２５Ａの高さｈ２までのみ溜まることとなる。
【００３９】
以上、本発明の一実施形態について説明したが、上記実施形態は本発明の適用例の一つを示したものであり、本発明の技術的範囲を上記実施形態の具体的構成に限定する趣旨ではない。
【符号の説明】
【００４０】
１  植栽容器
１０  給水部
１２  給水管
１２ａ  貫通孔
２０  容器本体
２１  本体部
２２  断熱材
２３  載置台
２３ａ  載置板
２４  管体
２５、２５Ａ  排水管
【図１】
2018191578.tif 000003
【図２】
2018191578.tif 000004
【図３】
2018191578.tif 000005
【図４】
2018191578.tif 000006
【図５】
2018191578.tif 000007
【図６】
2018191578.tif 000008